(57)【要約】【課題】  調光動作が可能であって、且つ、位相のずれによる放電灯のちらつきが抑えられる放電灯点灯装置、照明器具、並びに、液晶表示用バックライト装置を提供する。【解決手段】  それぞれ入力された駆動信号に同期した交流電力をそれぞれ異なる放電灯に出力する複数個のインバータ回路と、所定の第１周波数の第１駆動信号（Ａ）を生成する発振器と、第１駆動信号（Ａ）を２分周した第２駆動信号（Ｂ）を生成する分周器と、ＰＷＭ信号である調光信号（Ｃ）（Ｄ）を入力され、各インバータ回路に入力する駆動信号を、第１駆動信号と第２駆動信号との一方であって入力された調光信号のオンオフ状態に応じた一方に切り替える切替回路とを備える。調光信号による調光が可能でありながらも、複数個のインバータ回路間で共通の駆動信号が用いられることで出力の周波数及び位相が一致するから、ちらつきが抑えられる。【選択図】図１
2010146998.tif 000002
【特許請求の範囲】
【請求項１】
それぞれ入力された駆動信号に同期した交流電力をそれぞれ異なる放電灯に出力する複数個のインバータ回路と、
所定の第１周波数の第１駆動信号を生成する第１駆動回路と、
第１周波数を２以上の所定の整数分の１とした第２周波数であって第１駆動信号の反転のうち前記整数回に１回に同期して反転する第２駆動信号を生成する第２駆動回路と、
ＰＷＭ信号である調光信号を入力され、各インバータ回路に入力する駆動信号を、第１駆動信号と第２駆動信号との一方であって入力された調光信号のオンオフ状態に応じた一方に切り替える切替回路とを備えることを特徴とする放電灯点灯装置。
【請求項２】
切替回路はインバータ回路に一対一に対応して複数個設けられていて、
入力された調光信号を各切替回路にそれぞれ異なる時間だけ遅延させて入力する遅延回路を備えることを特徴とする請求項１記載の放電灯点灯装置。
【請求項３】
切替回路は、インバータ回路に入力する駆動信号を切り替えるタイミングを、第２駆動信号の立ち上がりに同期させることを特徴とする請求項１又は請求項２記載の放電灯点灯装置。
【請求項４】
第１駆動信号と第２駆動信号とはそれぞれ矩形波であって、
第１駆動信号と第２駆動信号とのうち調光信号がオン状態であるときにインバータ回路に入力されるオン駆動信号と調光信号との論理積を出力する第１の論理積回路と、調光信号の否定を出力する否定回路と、第１駆動信号と第２駆動信号とのうち調光信号がオフ状態であるときにインバータ回路に入力されるオフ駆動信号と否定回路の出力との論理積を出力する第２の論理積回路と、第１の論理積回路の出力と第２の論理積回路の出力との論理和をインバータ回路に入力する論理和回路とを有する切替回路を備えることを特徴とする請求項１〜３のいずれか１項に記載の放電灯点灯装置。
【請求項５】
少なくとも第１駆動回路と第２駆動回路と切替回路とが集積された集積回路を備えることを特徴とする請求項１〜４のいずれか１項に記載の放電灯点灯装置。
【請求項６】
請求項１〜５のいずれか１項に記載の放電灯点灯装置と、放電灯点灯装置を保持する器具本体とを備えることを特徴とする照明器具。
【請求項７】
請求項１〜５のいずれか１項に記載の放電灯点灯装置と、それぞれ前記放電灯点灯装置によって点灯される複数個の放電灯とを備えることを特徴とする液晶表示用バックライト装置。
【発明の詳細な説明】
【技術分野】
【０００１】
本発明は、放電灯点灯装置、照明器具、並びに、液晶表示用バックライト装置に関するものである。
【背景技術】
【０００２】
従来から、放電灯に交流電力を供給して点灯させる放電灯点灯装置が、照明器具や、液晶パネルを表示面の反対側から照明する液晶表示用バックライト装置に用いられている。
【０００３】
この種の放電灯点灯装置において、複数個の放電灯を同じ周波数の交流電力で点灯させる場合、放電灯間で交流電力の位相が互いに異なっていると、供給される交流電力の位相が互いに異なる放電灯同士で光が互いに干渉することで、ちらつきが発生して見える。このようなことを避けるために、放電灯間で交流電力の位相を揃えた放電灯点灯装置が提供されている（例えば、特許文献１参照）。
【特許文献１】特開２００２−２９９０９４号公報
【発明の開示】
【発明が解決しようとする課題】
【０００４】
放電灯点灯装置としては、放電灯に出力する交流電力の周波数を、所定のオン周波数と、オン周波数よりも放電灯の光出力が低くなるようなオフ周波数とで定期的に交互に切替えることにより、常にオン周波数の交流電力を供給される場合に比べて光出力を低下させる調光動作が可能なものもある。
【０００５】
しかし、従来は、上記のような調光動作で複数個の放電灯をそれぞれ点灯させる放電灯点灯装置において、放電灯間で交流電力の位相を揃えることは考えられていなかった。
【０００６】
本発明は、上記事由に鑑みて為されたものであり、その目的は、調光動作が可能であって、且つ、位相のずれによる放電灯のちらつきが抑えられる放電灯点灯装置、照明器具、並びに、液晶表示用バックライト装置を提供することにある。
【課題を解決するための手段】
【０００７】
請求項１の発明は、それぞれ入力された駆動信号に同期した交流電力をそれぞれ異なる放電灯に出力する複数個のインバータ回路と、所定の第１周波数の第１駆動信号を生成する第１駆動回路と、第１周波数を２以上の所定の整数分の１とした第２周波数であって第１駆動信号の反転のうち前記整数回に１回に同期して反転する第２駆動信号を生成する第２駆動回路と、ＰＷＭ信号である調光信号を入力され、各インバータ回路に入力する駆動信号を、第１駆動信号と第２駆動信号との一方であって入力された調光信号のオンオフ状態に応じた一方に切り替える切替回路とを備えることを特徴とする。
【０００８】
この発明によれば、調光信号による調光が可能であって、且つ、複数個のインバータ回路間で共通の駆動信号が用いられることで出力の周波数及び位相が一致するから、ちらつきが抑えられる。
【０００９】
請求項２の発明は、請求項１の発明において、切替回路はインバータ回路に一対一に対応して複数個設けられていて、入力された調光信号を各切替回路にそれぞれ異なる時間だけ遅延させて入力する遅延回路を備えることを特徴とする。
【００１０】
請求項３の発明は、請求項１又は請求項２の発明において、切替回路は、インバータ回路に入力する駆動信号を切り替えるタイミングを、第２駆動信号の立ち上がりに同期させることを特徴とする。
【００１１】
この発明によれば、インバータ回路に入力される駆動信号が切り替えられる際に一時的に駆動信号の周波数が変動することが避けられる。
【００１２】
請求項４の発明は、請求項１〜３のいずれかの発明において、第１駆動信号と第２駆動信号とはそれぞれ矩形波であって、第１駆動信号と第２駆動信号とのうち調光信号がオン状態であるときにインバータ回路に入力されるオン駆動信号と調光信号との論理積を出力する第１の論理積回路と、調光信号の否定を出力する否定回路と、第１駆動信号と第２駆動信号とのうち調光信号がオフ状態であるときにインバータ回路に入力されるオフ駆動信号と否定回路の出力との論理積を出力する第２の論理積回路と、第１の論理積回路の出力と第２の論理積回路の出力との論理和をインバータ回路に入力する論理和回路とを有する切替回路を備えることを特徴とする。
【００１３】
請求項５の発明は、請求項１〜４のいずれかの発明において、少なくとも第１駆動回路と第２駆動回路と切替回路とが集積された集積回路を備えることを特徴とする。
【００１４】
この発明によれば、集積回路を用いない場合に比べて部品点数を削減して小型化することが可能となる。
【００１５】
請求項６の発明は、請求項１〜５のいずれか１項に記載の放電灯点灯装置と、放電灯点灯装置を保持する器具本体とを備えることを特徴とする。
【００１６】
請求項７の発明は、請求項１〜５のいずれか１項に記載の放電灯点灯装置と、それぞれ前記放電灯点灯装置によって点灯される複数個の放電灯とを備えることを特徴とする。
【発明の効果】
【００１７】
請求項１の発明によれば、それぞれ入力された駆動信号に同期した交流電力をそれぞれ異なる放電灯に出力する複数個のインバータ回路と、所定の第１周波数の第１駆動信号を生成する第１駆動回路と、第１周波数を２以上の所定の整数分の１とした第２周波数であって第１駆動信号の反転のうち前記整数回に１回に同期して反転する第２駆動信号を生成する第２駆動回路と、ＰＷＭ信号である調光信号を入力され、各インバータ回路に入力する駆動信号を、第１駆動信号と第２駆動信号との一方であって入力された調光信号のオンオフ状態に応じた一方に切り替える切替回路とを備えるので、調光信号による調光が可能であって、且つ、複数個のインバータ回路間で共通の駆動信号が用いられることで出力の周波数及び位相が一致するから、ちらつきが抑えられる。
【００１８】
請求項３の発明によれば、切替回路は、インバータ回路に入力する駆動信号を切り替えるタイミングを、第２駆動信号の立ち上がりに同期させるので、インバータ回路に入力される駆動信号が切り替えられる際に一時的に駆動信号の周波数が変動することが避けられる。
【００１９】
請求項５の発明によれば、少なくとも第１駆動回路と第２駆動回路と切替回路とが集積された集積回路を備えるので、集積回路を用いない場合に比べて部品点数を削減して小型化することが可能となる。
【発明を実施するための最良の形態】
【００２０】
以下、本発明を実施するための最良の形態について、図面を参照しながら説明する。
【００２１】
本実施形態は、図２に示すように、所定の第１周波数（例えば１００ｋＨｚ）の第１駆動信号ｆ１を生成する第１駆動回路としての発振器１と、第１駆動信号ｆ１を２分周した第２駆動信号ｆ２を生成する第２駆動回路としての分周器２と、放電灯Ｌａに一対一に対応し、それぞれ第１駆動信号ｆ１と第２駆動信号ｆ２との一方に同期した交流電力を対応する放電灯Ｌａに出力する複数個のインバータブロック３とを備える。すなわち、本実施形態は、インバータブロック３の個数分の放電灯Ｌａを点灯させるものである。放電灯Ｌａとしては、２本のフィラメントを有する熱陰極型の放電灯が用いられる。発振器１は周知技術で実現可能であるので詳細な図示並びに説明は省略する。分周器２は入力端子ＣＬＫからの入力の立ち上がり毎に（つまり１周期毎に）出力端子Ｑからの出力が反転するいわゆるＴ型フリップフロップ（トグルフリップフロップ）である。第１駆動信号ｆ１は図１（Ａ）に示すような矩形波であり、第２駆動信号ｆ２は図１（Ｂ）に示すように第１駆動信号ｆ１の立ち上がりに同期して反転する矩形波である。すなわち、第２駆動信号ｆ２の立ち上がりのタイミングは常に第１駆動信号ｆ１の立ち上がりに同期している。
【００２２】
各インバータブロック３は、それぞれ、図３に示すように、入力された駆動信号に同期した交流電力を放電灯Ｌａに出力するインバータ回路３１と、ＰＷＭ信号である調光信号を入力され、入力された調光信号を第２駆動信号ｆ２の周期の整数倍（すなわち第１駆動信号の周期の偶数倍）の遅延時間だけ遅延して出力する遅延回路３２と、遅延回路３２から調光信号を入力され、インバータ回路３１に入力する駆動信号を、第１駆動信号ｆ１と第２駆動信号ｆ２との一方であって入力された調光信号のオンオフ状態に応じた一方に切り替える切替回路３３とを備える。遅延回路３２が遅延する時間は遅延回路３２毎（すなわちインバータブロック３毎）に異ならせてあり、調光信号がオン状態とオフ状態との間で切り替わるタイミングは切替回路３３毎に少しずつずれるようになっている。例えば、遅延回路３２における遅延時間が最も短いインバータブロック（以下、「第１インバータブロック」と呼ぶ。）３の遅延回路３２が出力する図１（Ｃ１）のような調光信号に対し、遅延回路３２における遅延時間が２番目に短いインバータブロック（以下、「第２インバータブロック」と呼ぶ。）３の遅延回路３２が出力する調光信号は図１（Ｃ１）に示すように第２駆動信号ｆ２の２周期分だけ遅れる。
【００２３】
各インバータ回路３１は、それぞれ、放電灯Ｌａとともに共振回路を構成する共振部と、１個以上のスイッチング素子からなり直流電源と共振部との接続を切替えるスイッチング部とを備える。具体的には例えば図４に示すように、一次巻線にタップを有し二次巻線とコンデンサとの直列回路が放電灯Ｌａの両端間に接続された第１トランスＴ１と、第１トランスＴ１の一次巻線の一端とグランドとの間に接続された第１スイッチング素子Ｑ１と、第１トランスＴ１の一次巻線の他端とグランドとの間に接続され第１スイッチング素子Ｑ１とともに上記のスイッチング部を構成する第２スイッチング素子Ｑ２とを備える。直流電源Ｅは、低電圧側の端子がグランドに接続され、高電圧側の端子が第１トランスＴ１の一次巻線のタップに接続される。さらに、第１トランスＴ１の二次巻線の両端間にはコンデンサが接続されており、上記の各コンデンサと第１トランスＴ１の各巻線とが上記の共振部を構成している。すなわち、スイッチング素子Ｑ１，Ｑ２が交互にオンオフ駆動されることで、該オンオフ駆動の周波数と上記の共振回路の共振周波数との関係に応じた電力が放電灯Ｌａに供給される。具体的には、各スイッチング素子Ｑ１，Ｑ２はそれぞれＮチャネルＭＯＳＦＥＴからなり、第１スイッチング素子Ｑ１のゲートには切替回路３３からの駆動信号がそのまま入力され、第２スイッチング素子Ｑ２のゲートには切替回路３３からの駆動信号が否定回路ＮＯＴ２を介して入力されることで、第１スイッチングＱ１と第２スイッチング素子Ｑ２とが上記の駆動信号の周波数で交互にオンオフされ、この結果としてインバータ回路３１が放電灯Ｌａに出力する交流電力は周波数が上記の駆動信号に一致するとともに位相が上記の駆動信号に同期する。また、第１周波数は上記の共振回路の共振周波数（以下、単に「共振周波数」と呼ぶ。）に対して十分に高く、インバータ回路３１の出力電力が放電灯Ｌａが消灯する程度に小さくなるような周波数となっている。さらに、第２周波数は共振周波数に十分近く、インバータ回路３１の出力電力が放電灯Ｌａが点灯する程度に大きくなるような周波数となっている。また、図４のインバータ回路３１は、コンデンサとの直列回路が第１トランスＴ１の一次巻線の両端間に接続された一次巻線と、それぞれコンデンサとの直列回路が放電灯Ｌａの一方ずつのフィラメントの両端間に接続された２本の二次巻線とを有する予熱用の第２トランスＴ２を備える。
【００２４】
切替回路３３は、入力された調光信号がオン状態（Ｈレベル）である期間にはオン駆動信号としての第２駆動信号ｆ２をインバータ回路３１に入力することで放電灯Ｌａを点灯させ、入力された調光信号がオフ状態（Ｌレベル）である期間にはオフ駆動信号としての第１駆動信号ｆ１をインバータ回路３１に入力することで放電灯Ｌａを消灯させる。例えば、第１インバータブロック３では図１（Ｃ１）で示すような調光信号が切替回路３３に入力されることで図１（Ｄ１）に示すような駆動信号がインバータ回路３１に入力され、この結果、図１（Ｅ１）に示すような電流が放電灯Ｌａの両端間に流れ、放電灯Ｌａの各フィラメントにはそれぞれ図１（Ｆ１）に示すような電流が流れる。また、第１インバータブロック３に比べて遅延回路３３における遅延時間が第２駆動信号ｆ２の２周期分長い第２インバータブロック３では図１（Ｃ２）で示すような調光信号が切替回路３３に入力されることで図１（Ｄ２）に示すような駆動信号がインバータ回路３１に入力され、この結果、図１（Ｅ２）に示すような電流が放電灯Ｌａの両端間に流れ、放電灯Ｌａの各フィラメントにはそれぞれ図１（Ｆ２）に示すような電流が流れる。仮に、遅延回路３２を設けずに各切替回路３３にそれぞれ共通の調光信号を入力した場合、全ての放電灯Ｌａの点灯期間が略一致することになるが、本実施形態では上記のように調光信号がオン状態とオフ状態との間で切り替わるタイミングが切替回路３３毎に少しずつずれるようになっているから、各放電灯Ｌａは点灯する期間が少しずつずれることになる。このような制御は、例えば、液晶パネルを人に向けられる面の反対側（後側）から照明する液晶表示用バックライト装置において、動画を表示する際に液晶パネルを複数の領域に分けて領域毎に順に画像を切替える場合に、液晶パネルのうち動画における画像の切替が完了していない領域を照明する放電灯のみを消灯させることで該領域のみを見えにくくし全体としての動画の見栄えを改善するために行われることがある。上記のように動作する液晶表示用バックライト装置は、スキャニングバックライトと呼ばれる。
【００２５】
より具体的には、切替回路３３は、遅延回路３２から入力された調光信号とオン駆動信号としての第２駆動信号ｆ２との論理積を出力する第１の論理積回路ＡＮＤ１と、遅延回路３２から入力された調光信号の否定を出力する否定回路ＮＯＴ１と、オフ駆動信号としての第１駆動信号ｆ１と否定回路ＮＯＴ１の出力との論理積を出力する第２の論理積回路ＡＮＤ２と、第１の論理積回路ＡＮＤ１の出力と第２の論理積回路ＡＮＤ２の出力との論理和を出力する論理和回路ＯＲとで構成されている。この論理和回路ＯＲの出力がすなわち切替回路３３の出力であって、既に述べたように、インバータ回路３１において、第１スイッチング素子Ｑ１にそのまま入力される一方、第２スイッチング素子Ｑ２に否定回路ＮＯＴ２を介して入力される。
【００２６】
上記構成によれば、図１に示す期間ｔ１のように複数個のインバータ回路３１で入力される調光信号がそれぞれオン状態となり放電灯Ｌａが同時に点灯されている期間にも、上記複数個のインバータ回路３１はそれぞれ共通の分周器２で生成された第２駆動信号ｆ２に同期した交流電力を出力することになるから、放電灯Ｌａに出力される交流電力の位相がインバータ回路３１間で揃い、ちらつきの発生が防止される。
【００２７】
ここで、例えば、第２駆動信号ｆ２がＨレベルからＬレベルとなるタイミングの直前で調光信号がオン状態からオフ状態に切り替わると、駆動信号がＨレベルである状態が第１駆動信号ｆ１の１．５周期分続くことになり、つまり一時的に駆動信号の周波数が第２周波数よりもさらに小さくなる。このように、駆動信号の１周期が終わるタイミング以外で調光信号が切り替わると、切替時に駆動信号の周波数が一時的に第１周波数とも第２周波数とも異なる第３周波数となってしまう。そこで、本実施形態では、調光信号においてオン状態が維持される期間の長さ（以下、「オン時間」と呼ぶ。）、調光信号においてオフ状態が維持される期間の長さ（以下、「オフ時間」と呼ぶ。）、並びに、各遅延回路３２における遅延時間は、それぞれ、第２駆動信号ｆ２の周期（すなわち第２周波数の逆数）の整数倍、言い換えると第１駆動信号ｆ１の周期（すなわち第１周波数の逆数）の偶数倍とされており、調光信号のオンオフ状態が切り替わるタイミングは常に第２駆動信号ｆ２の立ち上がりのタイミングに同期している。これにより、調光信号のオン状態とオフ状態とが切り替わるタイミングで一時的に駆動信号の周波数が上記のような第３周波数となってしまうことがない。さらに、外部から入力される調光信号が上記の条件に合わない場合には、入力された調光信号を元にオン時間とオフ時間とを上記の条件に合うように微調整した調光信号を生成して各遅延回路に出力する調光信号生成回路（図示せず）を設けてもよいし、切替回路３３が駆動信号の切り替えのタイミングを第２駆動信号ｆ２の立ち上がりのタイミングに合わせるために適宜遅らせるようにしてもよい。上記のような調光信号生成回路や切替回路３３は周知技術で実現可能であるので、詳細な図示並びに説明は省略する。
【００２８】
なお、遅延回路３２と、切替回路３３とのうちの１個乃至複数個を、１チップの集積回路に構成してもよい。この構成を採用すれば、集積回路を用いない場合に比べ、部品点数の削減による小型化が可能となる。
【００２９】
また、上記の実施形態では第１駆動信号ｆ１がオフ駆動信号であって第２駆動信号ｆ２がオン駆動信号とされていたが、例えば、第１周波数と第２周波数とがともに共振周波数よりも低くされる場合には、より共振周波数に近い第１駆動信号ｆ１をオン駆動信号とし、より共振周波数から離れた第２駆動信号ｆ２をオフ駆動信号としてもよい。
【００３０】
さらに、第１駆動信号ｆ１と第２駆動信号ｆ２との一方を放電灯Ｌａを消灯させるものとする代わりに、第１駆動信号ｆ１と第２駆動信号ｆ２とがそれぞれ放電灯Ｌａを互いに異なる光出力で点灯させるものとしてもよい。この場合であっても、入力される駆動信号の周波数が互いに共通である複数個のインバータ回路３１間では入力される駆動信号の発生源も互いに共通であることになるから、該複数個のインバータ回路３１の出力の位相は互いに一致することになり、放電灯Ｌａのちらつきは抑制される。
【００３１】
また、第１周波数や第２周波数を複数通りに切替可能としてもよい。この構成を採用すれば、特性の異なる複数種類の放電灯Ｌａに対応可能となる。この構成を実現するための発振器１や分周器２は周知技術で実現可能であるので、詳細な図示並びに説明は省略する。
【００３２】
さらに、インバータ回路３１も図４のようなものに限られず、ハーフブリッジ形やフルブリッジ形など他の周知のインバータ回路を採用してもよい。
【００３３】
また、遅延回路３２を設けず、全てのインバータ回路３１が一括して制御される構成としてもよい。この場合、切替回路３３は全てのインバータ回路３１で共用とすることができ、全期間にわたってインバータ回路３１間で出力の周波数と位相とを一致させることができる。
【００３４】
上記の各種の放電灯点灯装置は、図５に示すような照明器具４に用いることができる。図５の照明器具４は、放電灯点灯装置を構成する各回路部品がそれぞれ実装された回路基板Ｐと、放電灯点灯装置の電源を生成する電源回路が実装されるとともに回路基板Ｐに電気的に接続された電源用回路基板（図示せず）と、それぞれインバータ回路３１の出力端に電気的に接続されるとともに直管型の放電灯Ｌａの一方ずつの口金が電気的且つ機械的に接続される４組のソケット４１と、回路基板Ｐと電源用回路基板と各ソケット４１とをそれぞれ保持する器具本体４２と、透光性を有して各放電灯Ｌａの光をそれぞれ拡散させる例えば乳白色の材料からなり器具本体４２に結合して各放電灯Ｌａと各ソケット４１とがそれぞれ収納される空間を器具本体４２との間に構成するカバー４３とを備える。上記のような照明器具４は周知技術で実現可能であるので、詳細な説明は省略する。
【００３５】
また、上記の各種の放電灯点灯装置は、図６に示すような液晶表示用バックライト装置５にも用いることができる。図６に示す液晶表示用バックライト装置５は、液晶パネルＬＣＰを人に向けられる面の反対側（図６での下側）から照明するものである。上下方向は図６を基準として説明すると、この液晶表示用バックライト装置５は、この液晶表示用バックライト装置５は、それぞれインバータ回路３１から交流電力を供給されて点灯する４本の放電灯Ｌａと、上面が開口した直方体形状であって各放電灯Ｌａをそれぞれ収納した筐体５１と、放電灯点灯装置を構成する各回路部品がそれぞれ実装されて筐体５１の下側に配置された回路基板Ｐと、放電灯点灯装置の電源を生成する電源回路が実装されるとともに回路基板Ｐに電気的に接続された電源用回路基板（図示せず）と、筐体５１の底面に敷設されて各放電灯Ｌａの光をそれぞれ上方に配光する反射板５２と、透光性を有する材料からなり筐体５１に取り付けられて上方から見て各放電灯Ｌａをそれぞれ覆い各放電灯Ｌａの光をそれぞれ拡散させる拡散板５３と、拡散板５３の上面を覆う例えばプリズムシートのような光学シート５４とを備え、液晶パネルＬＣＰは光学シート５４の上面を覆う形で配置される。
【図面の簡単な説明】
【００３６】
【図１】本発明の実施形態の動作を示す説明図であり、（Ａ）は第１駆動信号の波形を示し、（Ｂ）は第２駆動信号の波形を示し、（Ｃ１）は第１インバータブロックの遅延回路の出力の波形を示し、（Ｃ２）は第２インバータブロックの遅延回路の出力の波形を示し、（Ｄ１）は第１インバータブロックの切替回路の出力の波形を示し、（Ｄ２）は第２インバータブロックの切替回路の出力の波形を示し、（Ｅ１）は第１インバータブロックに接続された放電灯の両端間に流れる電流の波形を示し、（Ｅ２）は第２インバータブロックに接続された放電灯の両端間に流れる電流の波形を示し、（Ｆ１）は第１インバータブロックに接続された放電灯の各フィラメントに流れる電流の波形を示し、（Ｆ２）は第２インバータブロックに接続された放電灯の各フィラメントに流れる電流の波形を示す。
【図２】同上の概略構成を示すブロック図である。
【図３】同上の要部の概略構成を示すブロック図である。
【図４】同上のインバータ回路を示す回路図である。
【図５】同上を用いた照明器具を示す分解斜視図である。
【図６】同上を用いた液晶表示用バックライト装置を示す分解斜視図である。
【符号の説明】
【００３７】
１  発振器（請求項における第１駆動回路）
２  分周器（請求項における第２駆動回路）
４  照明器具
５  液晶表示用バックライト装置
３１  インバータ回路
３２  遅延回路
３３  切替回路
４１  器具本体
Ｌａ  放電灯
【図１】
2010146998.tif 000003
【図２】
2010146998.tif 000004
【図３】
2010146998.tif 000005
【図４】
2010146998.tif 000006
【図５】
2010146998.tif 000007
【図６】
2010146998.tif 000008